(57)【要約】【課題】スリンガリングによってかき揚げられ熱交換器に散水されるドレン水の一部が外部に飛散しないように遮水する遮水体を備えると共に、キャビネットに設けた外気吸込口から外気を円滑に吸い込めるようにした空気調和機を提供する。【解決手段】ドレン水の一部が外部に飛散しないように遮水する遮水体１１が、導風板６の外側のベルマウス６ａ両側に突設されると共に、前記外気吸込口１ａが複数の切起しルーバ１ｂからなり、同切起しルーバ１ｂが、前記外気吸込口１ａから吸い込まれる外気を前記遮水体１１に案内して前記ベルマウス６ａに導くように切り起こされてなる構成にした。【選択図】  図１
2004325029.tif 000002
【特許請求の範囲】
【請求項１】
ベース上に、熱交換器およびこれに対向したプロペラファンと、これら熱交換器およびプロペラファンを囲む円筒状のベルマウスを備えた導風板とを設け、前記ベースにドレン水を受ける水受け部を設けると共に、前記プロペラファンに前記水受け部に溜まった水をかき揚げて前記熱交換器に散水するスリンガリングを付設し、前記導風板の外側のベルマウス近傍に、前記スリンガリングによって散水された水の一部が外気吸込口からキャビネットの外部に飛散するのを防止するための遮水体を突設してなるものにおいて、
前記遮水体が、前記導風板の外側のベルマウス両側に突設されると共に、前記外気吸込口が複数の切起しルーバからなり、同切起しルーバが、前記外気吸込口から吸い込まれる外気を前記遮水体に案内して前記ベルマウスに導くように切り起こされてなることを特徴とする空気調和機。
【請求項２】
前記遮水体が先端部を拡開させるように突設されてなることを特徴とする請求項１に記載の空気調和機。
【請求項３】
前記切起しルーバの先端部が前記ベルマウス側に傾斜するように切り起こされてなることを特徴とする請求項１に記載の空気調和機。
【発明の詳細な説明】
【０００１】
【発明の属する技術分野】
本発明は、空気調和機に係わり、より詳細には、スリンガリングによってかき揚げられ熱交換器に散水されるドレン水の一部が外部に飛散しないように遮水する遮水体を備えると共に、キャビネットに設けた外気吸込口から外気を円滑に吸い込めるようにした構造に関する。
【０００２】
【従来の技術】
従来の空気調和機のドレン水処理装置には、ファンでかきあげたドレン水を空気調和機から外部に飛散するのを防止する水飛び防止板を簡易に配設するものとして、水飛び防止板の下部に形成した複数のＬ字形の折り曲げ部を基板（ベース）の垂直部にはさみ込んで配設した構成、また、水飛び防止板の片側に取付け孔を形設し、内外仕切板に締着する構成、またその水飛び防止板に外箱のルーバと垂直方向に切り起して形設したルーバを付加した構成、またその水飛び防止板の内外仕切板に締着しない片側の端面にそって垂立させて形設した折り曲げ部を付加した構成、またその水飛び防止板の上端を約４５度傾斜させて形設した折り曲げ部を付加した構成により、風量の低下を少なくし、かつ部品点数が少なく、簡易に組立てできて製造コストを低減できるように記載されてなるものがあった（例えば、特許文献１参照。）。
【０００３】
しかしながら、当該特許文献１に添付されている図２と図３とで示すように、上記構成でなる空気調和機のドレン水処理装置は、空気吸込用のルーバの内側に水飛び防止板が設けられた構成になっていることから、例え水飛び防止板が空気吸込用のルーバの高さ寸法よりも低く抑えられた構成であったとしても、この水飛び防止板が風量の低下をもたらす原因になってしまうという弱点は否めなかった。
【０００４】
【特許文献１】
特開平６−２１３４７６号公報（第１頁〜第３頁、第２図および第３図）
【０００５】
【発明が解決しようとする課題】
本発明においては、上記の問題点に鑑み、スリンガリングによってかき揚げられ熱交換器に散水されるドレン水の一部が外部に飛散しないように遮水する遮水体を備えると共に、キャビネットに設けた外気吸込口から外気を円滑に吸い込めるようにした空気調和機を提供することを目的とする。
【０００６】
【課題を解決するための手段】
本発明は、上記課題を解決するため、ベース上に、熱交換器およびこれに対向したプロペラファンと、これら熱交換器およびプロペラファンを囲む円筒状のベルマウスを備えた導風板とを設け、前記ベースにドレン水を受ける水受け部を設けると共に、前記プロペラファンに前記水受け部に溜まった水をかき揚げて前記熱交換器に散水するスリンガリングを付設し、前記導風板の外側のベルマウス近傍に、前記スリンガリングによって散水された水の一部が外気吸込口からキャビネットの外部に飛散するのを防止するための遮水体を突設してなるものにおいて、
前記遮水体が、前記導風板の外側のベルマウス両側に突設されると共に、前記外気吸込口が複数の切起しルーバからなり、同切起しルーバが、前記外気吸込口から吸い込まれる外気を前記遮水体に案内して前記ベルマウスに導くように切り起こされてなる構成となっている。
【０００７】
また、前記遮水体が先端部を拡開させるように突設されてなる構成となっている。
【０００８】
更に、前記切起しルーバの先端部が前記ベルマウス側に傾斜するように切り起こされてなる構成となっている。
【０００９】
【発明の実施の形態】
以下、本発明の実施の形態を図面に基づいた実施例として詳細に説明する。
図１は本発明による空気調和機の平面図であり、図２は本発明による空気調和機の要部斜視図であり、図３は図１で示すＣ矢視図（側面図）である。
【００１０】
本発明による空気調和機は、一体型空気調和機もしくは所謂イージィフィット型の室外機を対象にして構成されたものであるが、ここでは本発明が一体型空気調和機に適用されたものとして以下に説明する。
【００１１】
本発明による一体型空気調和機は、図で示すように、前後を開口したキャビネット１内に、仕切板２により区画された底板３上の室外側Ａに載置された圧縮機４および室外側熱交換器５と、室内側Ｂに載置された室内側熱交換器７と、これら室外側熱交換器５および室内側熱交換器７に対向させた送風機８とで構成された本体が出し入れ可能に収容されている。
【００１２】
前記送風機８は、図１で示すように、前記室外側熱交換器５に対向するプロペラファン８ａと、前記室内側熱交換器７に対向する遠心ファン８ｂと、これらを連結して駆動し、底板３上の室外側Ａに載置されたファンモータ８ｃとからなる構成となっており、例えば前記プロペラファン８ａは図２で示す矢印方向に回転するようになっている。
【００１３】
前記室外側熱交換器５は、前記キャビネット１の室外側Ａの両側面に設けられた外気吸込口１ａから前記プロペラファン８ａによって吸い込まれ、前記底板３上の室外側Ａに立設され、円筒状のベルマウス６ａを備えた導風板６によって導かれた外気を通過させて熱交換するようになっており、前記室外側熱交換器５を通過させた空気は前記キャビネット１の後部に設けられた室外側の吹出口から外部に吹き出されるようになっている。
【００１４】
前記導風板６は、前記底板３上の室外側Ａに、前記室外側熱交換器５および前記プロペラファン８ａを囲むように立設されている。
【００１５】
また、前記底板３上の室外側Ａには、前記プロペラファン８ａに対応した水受け部１０が形成されると共に、前記プロペラファン８ａには、同プロペラファン８ａの回転時に前記水受け部１０に溜まった水をかき揚げて前記室外側熱交換器５にかけるためのスリンガリング９が付設されている。
【００１６】
なお、前記水受け部１０には、前記室内側熱交換器７から滴下した凝縮水が、図２の矢印ａで示すように、前記底板３上の室内側から室外側に流れ込むことによって溜まるようになっている。
【００１７】
そして、前記導風板６には、前記水受け部１０に溜まった水が前記スリンガリング９でかき揚げられ前記室外側熱交換器５に散水される際、図１および図２で示すように、水の一部が前記外気吸込口１ａを通して外部に飛散しないように遮水する遮水体１１が設けられている。
【００１８】
前記遮水体１１は、前記導風板６に前記スリンガリング９をカバーするように突設される一方、前記外気吸込口１ａが複数の切起しルーバ１ｂからなり、同切起しルーバ１ｂが、前記外気吸込口１ａから吸い込まれる外気を前記遮水体１１にガイドし、同遮水体１１から前記ベルマウス６ａに導くように切り起こされてなる構成となっている。
【００１９】
すなわち、前記遮水体１１は、前記切起しルーバ１ｂによってガイドされた外気を前記ベルマウス６ａに導く機能を有しているのであって、少なくとも風量を低下させてしまう原因にはならないように構成されている。
【００２０】
これによって、前記スリンガリング９でかき揚げられた水の一部が、前記遮水体１１で遮水されるため外部に飛散しないようになり、また、前記外気吸込口１ａを形成する前記複数の切起しルーバ１ｂが縦長状に切り起こされているので、前記ベルマウス６ａに向けて吸い込まれる空気の流れが円滑になる。
【００２１】
なお、図示はしないが、前記複数の切起しルーバ１ｂのとくに高さ寸法を均一にするか、もしくは、前記ベルマウス６ａから遠ざかるにしたがって高く形設することにより風量の増加をはかれるようにしてもよい。
【００２２】
また、前記遮水体１１が先端部を拡開させるように突設されているので、当該遮水体１１は、前記ベルマウス６ａに向けて吸い込まれるように空気を導入する導風体としての機能を効果的に向上できるようになっている。
【００２３】
また、前記切起しルーバ１ｂは、先端部が前記ベルマウス６ａ側に向けて傾斜するように切り起こされているので、前記外気吸込口１ａから吸い込まれる空気が前記ベルマウス６ａに向けて更に円滑に導かれるようになっている。
【００２４】
なお、前記室内側Ｂにおいては、前面パネル１４の一側に設けられた吸込口１２から吸い込まれた空気が、室内側熱交換器７を通過したのち、前記遠心ファン８ｂを経て他側に設けられた吹出口１３から被空調室に向けて吹き出されるようになっている。
【００２５】
【発明の効果】
以上説明したように、本発明によれば、スリンガリングによってかき揚げられ熱交換器に散水されるドレン水の一部が外部に飛散しないように遮水する遮水体を備えると共に、キャビネットに設けた外気吸込口から外気を円滑に吸い込めるようにした空気調和機となる。
【図面の簡単な説明】
【図１】本発明による空気調和機の平面図である。
【図２】本発明による空気調和機の要部斜視図である。
【図３】図１で示すＣ矢視図（側面図）である。
【符号の説明】
１  キャビネット
１ａ  外気吸込口
１ｂ  切起しルーバ
２  仕切板
３  底板
４  圧縮機
５  室外側熱交換器
６  導風板
６ａ  ファンリング
７  室内側熱交換器
８  送風機
８ａ  プロペラファン
８ｂ  遠心ファン
８ｃ  ファンモータ
９  スリンガリング
１０  水受け部
１１  遮水体
１２  吸込口
１３  吹出口
１４  前面パネル
Ａ  室外側
Ｂ  室内側
【図１】
2004325029.tif 000003
【図２】
2004325029.tif 000004
【図３】
2004325029.tif 000005